(57)【要約】【課題】遊技機の仕切板で広い遮断面積を確保してタバコの煙などの悪臭や騒音を確実に遮断する。【解決手段】遊技機Ｐ間に配置される収容ケース３内に重合状態に複数枚の仕切板２が出退自在に収納されており、収容ケース３から引出される１枚目の仕切板２と２枚目の仕切板２との間に、１枚目の仕切板２の引出し動作で２枚目の仕切板２を引出し動作させる連携手段Ｑが設けられている。【選択図】図１
0003123243.tif 000002
【実用新案登録請求の範囲】
【請求項１】
遊技機（Ｐ）間に配置される収容ケース（３）内に重合状態に複数枚の仕切板（２）が出退自在に収納されており、収容ケース（３）から引出される１枚目の仕切板（２）と２枚目の仕切板（２）との間に、１枚目の仕切板（２）の引出し動作で２枚目の仕切板（２）を引出し動作させる連携手段（Ｑ）が設けられていることを特徴とする仕切装置。
【請求項２】
前記連携手段（Ｑ）は、１枚目の仕切板（２）の後端に設けた係合部（６）と２枚目の仕切板（２）の前端に設けられていて前記係合部（６）と係合する係止部（７）とで形成されており、前記収容ケース（３）は前端側に上下一対のカバー部材（１０Ｕ、１０Ｄ）がそれぞれ上下端部側を中心に回動自在に設けられており、前記カバー部材（１０Ｕ、１０Ｄ）は水平まで回動させると仕切板（２）を前後方向に案内する案内溝部（１４Ｕ、１４Ｄ）が形成されていることを特徴とする請求項１に記載の仕切装置。
【請求項３】
前記仕切板（２）は前板（２ａ）、中板（２ｂ）、後板（２ｃ）より成り、中板（２ｂ）の引出し動作で後板（２ｃ）を引出し動作させる第２連携手段（Ｓ）が、中板（２ｃ）の後端に設けた第２係合部（８）と、後板（２ｃ）の前端に設けられていて前記第２係合部（８）に係合する第２係止部（９）とで構成されており、前記前板（２ａ）は前面に取手部材（５）が取り付けられており、前記取手部材（５）は開閉自在な蓋部材（２２）とこの蓋部材（２２）の開閉に同伴して出退するフック部材（２６）が備えられていることを特徴とする請求項１または２に記載の仕切装置。
【請求項４】
前記連携手段（Ｑ）は、１枚目の仕切板（２）の前端と２枚目の仕切板（２）の後端とを連結する蝶番（３０）で形成されており、前記２枚目の仕切板（２）は１枚目の仕切板（２）の前方へ展開可能であり、前記収容ケース（３）は１枚目の仕切板（２）を収容ケース（３）の前方まで移動案内するスライド支持手段（３６）が設けられていることを特徴とする請求項１に記載の仕切装置。
【考案の詳細な説明】
【技術分野】
【０００１】
本考案は、遊技機間に配置して使用される仕切装置に関するものである。
【背景技術】
【０００２】
特許文献１には、遊技機本体の側面から突出可能に配置され遊技機本体周囲の煙を遮蔽する仕切り板と、この仕切り板の収納部とを設けて、仕切り板が収納部に引き出し自在に収納されるようにした遊技機に設けられる仕切装置が知られている。
【特許文献１】特開２００６−６１３１８号公報
【考案の開示】
【考案が解決しようとする課題】
【０００３】
前記特許文献１の装置は、収納部はシマ（パチンコ台あるいはパチスロ台の遊技機が店舗内で配置されている部分）の通路側からシマ奥側に向かってのスペースに収まるように設けられている。このシマ奥側には遊技機の支持アングル（柱）が殆どのホールで設けられており、収納部は十分な奥行きを確保できない。そのため、収納部には前後（引出）方向に短い仕切板しか収容できず、タバコ煙などの悪臭や騒音を遮断する場合に十分な遮断効果を発揮させることができなかった。
本考案は、上記問題を解決する仕切装置を提供することを目的とする。
【０００４】
本考案は、遊技機の間に設けられた収容ケースに複数の仕切板を出退自在に収容し、引き出した複数の仕切板を遮断面積を広く取れるように延伸配置させて、タバコの煙などの悪臭や騒音を確実に遮断することができる仕切装置を提供することを目的とする。
【課題を解決するための手段】
【０００５】
前記目的を達成するため、本考案は、次の手段を講じた。
即ち、遊技機Ｐ間に配置される収容ケース３内に重合状態に複数枚の仕切板２が出退自在に収納されており、収容ケース３から引出される１枚目の仕切板２と２枚目の仕切板２との間に、１枚目の仕切板２の引出し動作で２枚目の仕切板２を引出し動作させる連携手段Ｑが設けられている。
この連携手段Ｑは、１枚目の仕切板２の後端に設けた係合部６と２枚目の仕切板２の前端に設けられていて前記係合部６と係合する係止部７とで形成されるのが好ましく、前記収容ケース３は前端側に上下一対のカバー部材１０Ｕ、１０Ｄがそれぞれ上下端部側を中心に回動自在に設けられており、前記カバー部材１０Ｕ、１０Ｄを水平まで回動させると仕切板２を前後方向に案内する案内溝部１４Ｕ、１４Ｄが形成されているのが好ましい。
【０００６】
この場合において、仕切板２は前板２ａ、中板２ｂ、後板２ｃより成り、中板２ｂの引出し動作で後板２ｃを引出し動作させる第２連携手段Ｓが、中板２ｃの後端に設けた第２係合部８と、後板２ｃの前端に設けられていて前記第２係合部８と係合する第２係止部９とで構成されているのが良く、前記前板２ａは前面に取手部材５が取り付けられており、前記取手部材５は開閉自在な蓋部材２２とこの蓋部材２２の開閉に同伴して出退するフック部材２６が備えられているのがより好ましい。
一方、前記連携手段Ｑを１枚目の仕切板２の前端と２枚目の仕切板２の後端とを連結する蝶番３０で形成し、前記２枚目の仕切板２を１枚目の仕切板２の前方へ展開可能とすることもできる。この場合においては、収容ケース３は１枚目の仕切板２を収容ケース３の前方まで移動案内するスライド支持手段３６が設けられているのが好ましい。
【０００７】
これによって、引き出した複数の仕切板を遮断面積を広く取れるように延伸配置させて、タバコの煙などの悪臭や騒音を確実に遮断することができる。また、１枚目の仕切板２の引出し動作で２枚目の仕切板２を引出し動作させる連携手段Ｑを、１枚目の仕切板２の後端に設けた係合部６と２枚目の仕切板２の前端に設けられていて前記係合部６と係合する係止部７とで形成することにより、１枚目の仕切板２に続いて２枚目の仕切板２を引き出せて、複数の仕切板２を連動的に出退させることができ、１枚目の仕切板２を引き出すのみで複数の仕切板を遮断面積を広く取れるように延伸配置させることができる。
【０００８】
さらに、前記収容ケース３の前端側に上下一対のカバー部材１０Ｕ、１０Ｄをそれぞれ上下端部側を中心に回動自在に設けて、前記カバー部材１０Ｕ、１０Ｄに仕切板２を前後方向に案内する案内溝部１４Ｕ、１４Ｄを形成することで、仕切板２を引出すのみでカバーが開閉でき、複数の仕切板２を上下で支えつつ前後方向に沿って正確に案内することが可能となる。
前記仕切板２に前板２ａ、中板２ｂ、後板２ｃを用いる場合は、中板２ｂの引出し動作で後板２ｃを引出し動作させる第２連携手段Ｓを、中板２ｃの後端に設けた第２係合部８と、後板２ｃの前端に設けられていて前記第２係合部８と係合する第２係止部９とで構成することで、前板２ａの動作に合わせて中板２ｂ及び後板２ｃの動作が行えるようになり、複数の仕切板２の全てを先板２ａで出退させることが容易となる。１枚目の仕切板２の前面に取手部材５を取り付けて、この取手部材５に開閉自在な蓋部材２２とこの蓋部材２２の開閉に同伴して出退するフック部材２６とを設けることにより、出退に合わせてフック部材２６が引出可能となって、フック部材２６が仕切板２の収容時に遊技の邪魔になることがなく、外観上スッキリとした収容状態とすることができる。
【０００９】
一方、前記連携手段Ｑを１枚目の仕切板２の前端と２枚目の仕切板２の後端とを連結する蝶番３０で形成し、前記２枚目の仕切板２を１枚目の仕切板２の前方へ展開可能とすることもでき、複数の仕切板２を折り返して前後方向に延伸配置させ、広い遮断面積を確保することもできる。この場合において、収容ケース３の前方まで移動案内するスライド支持手段３６が収容ケース３に設けられているのが良く、これによって仕切板２を折り返し可能な位置まで引き出してから展開させられるので、仕切板２を折り返す際に遊技の邪魔になることがなくなる。
【考案の効果】
【００１０】
本考案により、引き出した複数の仕切板を遮断面積を広く取れるように延伸配置させて、タバコの煙などの悪臭や騒音を確実に遮断することができる。
【考案を実施するための最良の形態】
【００１１】
以下、本考案の実施の形態を図面に基づき説明する。なお、前後とは遊技機の前後面と同一で図１において左右の方向を示す。
図１〜６において、第１実施形態の仕切装置１は、遊技機Ｐの間に設けられる収容ケース３と、この収容ケース３に出退自在に収容される前後３枚の仕切板２とで構成されている。
前記仕切板２は前板２ａと中板２ｂと後板２ｃとで成っている。前記前板２ａと中板２ｂと後板２ｃとは、それぞれ中央に透明または半透明のアクリル系樹脂板を有しており、遊技機Ｐの側方スペースに互いに重合状に収容され、前記収容ケース３から前板２ａを１枚目、中板２ｂを２枚目、後板２ｃを３枚目として順に引出可能となっている。
【００１２】
前記前板２ａは、前縁に係合する上下の戸先カバー４Ｕ、４Ｄと、上部の戸先カバー４Ｕと下部の戸先カバー４Ｄとの間の前縁に取り付けられる取手部材５とを有しており、後端側に中板２ｂ側に突出形成された係合部６が上下に亘って形成されている。前記中板２ｂは前端側に前記係合部６と係合する係止部７が左右双方（前板２ａ側及び後板２ｃ側の双方）に向かって突出形成されており、後端側には第２係合部８が左右双方に向かって突出形成されている。前記後板２ｃは、前端側と後端側とに第２係止部９が左側に向かって突出形成されており、この第２係止部９は中板２ｂの係止部７及び第２係合部８と係合可能となっている。
【００１３】
前記戸先カバー４は、前板２ａの前縁の上下にそれぞれ外嵌されている。戸先カバー４は、前板２ａに固定される断面視略コ字状のアングル材１７ａと、このアングル材１７ａに対面状に外嵌されて前記アングル材１７ａより大きな略コ字状断面のアングル材１７ｂとで形成されている。
前記取手部材５は、前端側が開口部を形成した筺部材２４と、この開口部に開閉可能に設けられた蓋部材２２と、筺部材２４と前板２ａとの間に設けられるスリープ部材２３とで構成されている。前記取手部材５の先端側に蓋部材２２の開閉ボタン２５が設けられており、この開閉ボタン２５を押すことで前記蓋部材２２が上端側を中心に回動して、前端側に向かって跳ね上がるようになっている。この蓋部材２２の裏面側にはフック部材２６が設けられており、このフック部材２６は蓋部材２２の回動に同伴して前端側に引出し可能となっており、前記フック部材２６を取っ手として仕切板２を引出可能となっている。
【００１４】
前記収容ケース３は、上下一対の天板２７Ｕ、２７Ｄと、この上下天板２７Ｕ、２７Ｄの中央側に前後方向に亘って設けられる上下レール部材１１Ｕ、１１Ｄと、上下レール部材１１Ｕ、１１Ｄの左右に取り付けられる左右一対の枠本体１２Ｌ、１２Ｒと、左右枠本体１２Ｌ、１２Ｒの前方に設けられる左右前枠１３Ｌ、１３Ｒと、左右の前枠１３Ｒ、１３Ｒ間に架設された上下枢支軸１５Ｕ、１５Ｄに回動自在に枢支される上下カバー部材１０Ｕ，１０Ｄとで構成されている。
図４〜６において、前記レール部材１１Ｕは仕切板２の上端側が嵌入する案内溝部１４Ｕが下端側に３条形成され、レール部材１１Ｄは仕切板２の下端側が嵌入する案内溝部１４Ｄが上端側に３条形成されており、前板２ａ、中板２ｂ、後板２ｃのそれぞれを前後方向に案内可能となっている。
【００１５】
前記枠本体１２Ｌ、１２Ｒは、側面視略コ字の長箱状に形成されており、レール部材１１の左右両側にそれぞれがレール部材１１と平行になるように天板２７Ｕ、２７Ｄに固定されており、天板２７Ｕ、２７Ｄを介して上下のレール部材１１Ｕ、１１Ｄとこの枠本体１２Ｌ、１２Ｒとが固定されている。
前記枠本体１２の前端側には上下舌片１６Ｕ、１６Ｄが突出形成されており、前枠１３に内側に沿うように上舌片１６Ｕは前端側が下方に下舌片１６Ｄは前端側が上方に折り曲げられている。
【００１６】
前記前枠１３Ｌ、１３Ｒは、長い筺状部材であって左右枠本体１２の前端側にそれぞれ上下に設けられている。左右前枠１３Ｌ、１３Ｒの間には上下端部側に上下枢支軸１５Ｕ、１５Ｄが架設され、枢支軸１５Ｕに上側のカバー部材１０Ｕが枢支軸１５Ｄに下側のカバー部材１０Ｄがそれぞれ枢支されている。また、前枠１３Ｌ、１３Ｒの内側（レール部材１１側）には係止孔４２がそれぞれ形成されている。
上下カバー部材１０Ｕ、１０Ｄは、上カバー部材１０Ｕ下側と下カバー部材１０Ｄ上側とにそれぞれ前後方向に沿って３条の案内溝１８Ｕ、１８Ｄが形成されており、水平位置まで回動させると前記案内溝部１４Ｕ、１４Ｄと溝底部同士が水平に並んで、仕切板２の前板２ａ、中板２ｂ、後板２ｃのそれぞれを収容ケース３より前方に移動案内可能に支持している。
【００１７】
また、上下カバー部材１０Ｕ、１０Ｄの後端側には左右一対の作動片１９Ｕが下方と上方とに突出して一体形成されており、この上下作動片１９Ｕ、１９Ｄには付勢手段２０の一端が固定されている。この付勢手段２０の他端は枠本体１２の内側に固定されており、カバー部材１０を垂直姿勢に戻す方向に付勢している。さらに作動片１９Ｕ、１９Ｄには位置決め突起２１が外側に向かって突設されており、この位置決め突起２１が前枠１３の係止孔４２に挿入されることで前記カバー部材１０Ｕ、１０Ｄが水平な姿勢に位置決めされる。
【００１８】
前記収容ケース３から仕切板２を引き出す場合は、取手部材５の開閉ボタン２５を押して蓋部材２２を開くと、蓋部材２２の裏面のフック部材２５が把持可能に張り出される。このフック部材２５を掴んで前板２ａを前端側に引き出すと、前板２ａの前端側がカバー部材１０に当接し付勢手段２０に抗してカバー部材１０を前方に回動させる。このとき上部のカバー部材１０Ｕは枢支軸１５Ｕを中心に前方に向けて跳ね上がるように回動し、下部のカバー部材１０Ｄは枢支軸１５Ｄを中心に前方に向けて倒れ込むように回動し、カバー部材１０Ｕ、１０Ｄはそれぞれの案内溝１８Ｕ、１８Ｄが前記内溝部１４Ｕ、１４Ｄとと水平になり、前板２ａ、中板２ｂ、後板２ｃとを収容ケース３より前方に移動自在に支持できる。また、カバー部材１０Ｕ、１０Ｄは水平になると前枠１３の係止孔４２に作動片１９の位置決め突起２１が嵌入して水平姿勢に固定される。
【００１９】
前記前板２ａを前方に移動させると、後端側の係合部６が前方に移動し、この係合部６が中板２ｂの前端側に形成された係止部７に当接し、係合部６と係止部７とで形成される連携手段Ｑにより中板２ｂも同伴で前方に移動する。前記中板２ｂを前方に移動させると、後端側の第２係合部８が前方に移動し、前記第２係合部８が後板２ｃの前端側に形成された第２係止部９に当接し、第２係合部８と第２係止部９とで形成される連携手段Ｓにより後板２ｃも前板２ａに同伴して前方に移動し、仕切板２の全てが前板２ａを１枚目、中板２ｂを２枚目、後板２ｃを３枚目として順に引き出される。
【００２０】
前記収容ケース３に仕切板２を押し戻す場合は、前記前板２ａを後方に移動させると前板２ａの係合部６が中板２ｂの後端側の第２係合部８に当接し、中板２ｂが前板２ａと同伴で後方に移動する。中板２ｂをさらに後方に移動させると中板２ｂの第２係合部８が後板２ｂの後端側の第２係止部９に当接し、後板２ｃが前板２ａ及び中板２ｂと同伴して後方に移動し、全ての仕切板２が前板２ａを１枚目、中板２ｂを２枚目、後板２ｃを３枚目として順に引き戻される。
前板２ａの後端に設けた係合部６と中板２ｂの前端に設けられた係止部７とで、収容ケース３から引出される前板２ａの引出し動作で中板２ｂを引出し動作させる連携手段Ｑを形成することで、前板２ａと同伴して中板２ｂを連動して引き出せると共に、前板２ａと中板２ｂとの面積を合わせた広い遮断面積を確保することができるようになり、タバコの煙などの悪臭や騒音を十分に遮断できるようになる。
【００２１】
また、この連携手段Ｑに加えて、第２係合部８と第２係止部９とで前記連携手段Ｓを形成することで、前板２ａと同伴して中板２ｂ及び後板２ｃを連動して引き出せるようになって、前板２ａの引出動作により全ての仕切板２を前後方向に展開でき、より広大な遮断面積の確保が可能となる。
前記仕切板２を透明または半透明のアクリル系樹脂板で形成することにより、遊技機Ｐや遊技者がホールの従業員から視認可能となり、遊技機Ｐのトラブルの確認や違法行為の監視が可能となる。
【００２２】
前記取手部材５に開閉ボタン２５で開閉して把持可能なフック部材２６を設けることにより、収容状態において前端側にフック部材２６が突出することが無くなり、遊技の邪魔になることが無くなる。
図７及び８に示す第２実施形態の仕切装置１は、前端側の前板２ｄと後端側の後板２ｅとの前後２枚の仕切板２と、前板２ｄと後板２ｅとを出退自在に収容する収納ケース３とで構成されている。
前記仕切板２は、１枚目の後板２ｅと２枚目の前板２ｄとで成り、前板２ｄ及び後板２ｅのそれぞれは、透明または半透明のアクリル系樹脂板と、これを上下で支持する上下枠３１Ｕ、３１Ｄとを有している。前記上下枠３１Ｕ、３１Ｄは前後方向の中途で前後に分割され、分割箇所の前後に跨って上下蝶番３０Ｕ、３０Ｄがそれぞれ設けられており、この蝶番３０Ｕ、３０Ｄにより前板２ｄと後板２ｅとが折り返し自在に連結されている。また、前記後板２ｅの後端側には係止突起を前方に向けて有する係止具３８が設けられている。
【００２３】
前記上下枠３１Ｕ、３１Ｄは前後に長い枠材で形成されており、それぞれの下端側と上端側とに前記アクリル系樹脂板が係止されている。分割後端側の上枠３１Ｕ及び下枠３１Ｄには、スライド支持手段３６Ｕ、３６Ｄの前端部材３７Ｕ、３７Ｄが係止されている。また、分割後端側の上枠３１Ｕには係止部材３３がピン先を前端側に向けて取付けられており、この係止部材３３のピン先が挿脱する挿通孔３８が分割先端側の上枠３１Ｕに形成されている。
前記収容ケース３は、前端側に向かって開口した箱状に形成され、開口部にはヒンジ３４を介して開閉自在に扉３５が取り付けられている。収容ケース３の筺内部には上下に前記スライド支持手段３６Ｕ、３６Ｄの後端部材４０Ｕ、４０Ｄが係止されており、仕切板２が前後スライド自在に支持されている。収容ケース３は、開口部に被係止具３９が設けられており、この被係止具３９は後板２ｅの係止具３８と係合して仕切板２の前方移動を規制している。
【００２４】
前記スライド支持手段３６Ｕ、３６Ｄは、前後に長い筒状に形成された前端部材３７と後端部材４０とこれらの間に設けられる中間部材４１とで構成されている。前記前端部材３７Ｕ、３７Ｄは、上下枠３１Ｕ、３１Ｄの後端側に取り付けられており、上下後端部材４０Ｕ、４０Ｄは収容ケース３に固定されている。また、上下中間部材４１Ｕ、４１Ｄは前端部材３７Ｕ、３７Ｄと後端部材４０Ｕ、４０Ｄとをそれぞれに対して相対移動可能に連結され、スライド支持手段３６Ｕ、３６Ｄは上下枠３１Ｕ、３１Ｄ（後板２ｅ）を収容ケース３に対して前後方向に摺動自在に支持している。
【００２５】
図９は前板２ｄが後板２ｅに対して折り畳まれた状態の蝶番３０Ｕを示しており、この図に示されるように蝶番３０Ｕは、前端側の上枠３１Ｕに固定され中空な多角柱状の回動部４４と、後端側の上枠３１Ｕに固定されると共に前記回動部４４と上下に互い違いに組み合わ可能な回動基部４５と、この回動部４４と回動基部４５との中空部分を軸通する軸４６とで形成されている。前記回動部４４及び回動基部４５は、前記軸４６の中心Ｒに対して１８０度に回動可能となっており、上下枠３１Ｕ、Ｄを中心Ｒを境に折り返し可能となっている。
【００２６】
上部側の前記蝶番３０Ｕの上方には回動部４４の回動基部４５に対する回動に同伴して前後に摺動する把持板４７が設けられており、この把持板４７は収容ケース３に収容すると突起４８に押されて扉３５から前端側の一部が突出する構造となっており、この突出部分を掴んで仕切板２を収容ケース３から引出可能としている。前記把持板４７は、仕切板２を中心Ｒを境に折り返すと後方に押し戻され、仕切板２の収容と展開とに合わせて前後に摺動する構造となっている。
前記仕切板２を収容ケース３から引き出す場合は、把持板４７を掴んで前端側に向かって引き出すと、折り畳み状態の仕切板２は収容ケース３内に設けられた前記スライド支持手段３６Ｕ、３６Ｄにより前端側に向かって移動し、この仕切板２の前端部に押されて扉３５が回動する。前記仕切板２を前端側に引き出すと後板２ｅの係止具３８が収容ケース３の被係止具３９に係合して、仕切板２の前端側への移動が規制される。
【００２７】
前記仕切板２の前板２ｄは蝶番３０を中心に回動させると、この蝶番３０は折り畳み状態から中心Ｒに対して１８０度回動可能となっているので、前板２ｄは後板２ｅの前端側に隣り合う位置まで回動する。前記係止部材３３のピン先を挿通孔３８に挿脱すると前板２ｄと後板２ｅとが前後に隣接する展開状態に仕切板２を固定することができ、複数の仕切板を蝶番を境に前後に展開して悪臭や騒音を遮断するに十分な面積を確保できる。
本考案は前記各実施形態における各部材の形状およびそれぞれの前後・左右・上下の位置関係は、図１〜９に示すように構成することが最良である。しかし、前記実施形態に限定されるものではなく、部材、構成を種々変形したり、組み合わせを変更したりすることもできる。
【００２８】
前記実施形態では仕切板２に透明または半透明のアクリル系樹脂板を用いたが、透明または半透明の合成樹脂であればアクリル系樹脂板以外の樹脂板を用いても良く、また合成樹脂以外のガラスなどを用いることもできる。
前記実施形態では仕切板２を２枚または３枚の板材で構成していたが、仕切板２は４枚以上設けられていても良い。
前記戸先部材４は前記実施形態ではコの字状断面を有するアングル材を組み合わせていたが、前板２ａの戸先を保護可能なものであれば特に形状は限定されない。
【００２９】
前記実施形態では複数の仕切板を連携して引出可能とするか折り返し可能に構成したが、例えば仕切板２を収容ケース３内に枢支して、回動に合わせて収容ケース３から引き出せるようにしても良い。
前記実施形態においてはカバー部材１０に案内溝部１４を設けてカバー部材１０の回動に合わせて仕切板２の前後の案内を可能としたが、例えば案内溝部１４を設けた枠材を収容ケース３に出退自在に設けて、複数の仕切板２の前後への案内を可能としても良い。
【図面の簡単な説明】
【００３０】
【図１】本考案の第１実施形態の仕切装置の側面図である。
【図２】図１のＡ−Ａ線断面図である。
【図３】図１のＢ−Ｂ線断面図である。
【図４】収容状態における仕切装置の側面図である。
【図５】図４のＣ−Ｃ線断面図である。
【図６】上部の作動片の側面図である。
【図７】第２実施形態の仕切装置の展開側面図である。
【図８】収容状態における側面図である。
【図９】図８のＤ−Ｄ線断面図である。
【符号の説明】
【００３１】
１    仕切装置
２    仕切板
３    収容ケース
６    係合部
７    係止部
８    第２係合部
９    第２係止部
１０  カバー部材
１４  案内溝部
２２  蓋部材
２６  フック部材
３０  蝶番
３６  スライド支持手段
Ｑ    連携手段
Ｓ    第２連携手段
【図１】
0003123243.tif 000003
【図２】
0003123243.tif 000004
【図３】
0003123243.tif 000005
【図４】
0003123243.tif 000006
【図５】
0003123243.tif 000007
【図６】
0003123243.tif 000008
【図７】
0003123243.tif 000009
【図８】
0003123243.tif 000010
【図９】
0003123243.tif 000011